(57)【特許請求の範囲】
【請求項１】
ヘッダーケースと、前記ヘッダーケースに設けられたドアレールと、ローラを介して前記ドアレールに係合するドアハンガーと、前記ドアハンガーに吊り下げられるドアパネルと、を有するエレベータのドア装置において、
前記ヘッダーケースを出入口の壁面に固定するためのブラケットと、
前記ヘッダーケースを前記ブラケットに固定する、少なくとも２組以上の締結部材と、を備え、
前記ヘッダーケースの上端部と、この上端部に重なり合う前記ブラケットの取付部には、一方に少なくとも２つ以上の平行な第１長穴が形成され、他方に前記第１長穴と直交する第２長穴が形成され、
前記締結部材は、前記第１長穴と第２長穴に挿通されて締結され、
少なくとも１組の前記締結部材は、前記第１長穴、第２長穴のうち、一方の長穴の長さ方向の位置のみを固定し、他方の長穴の長さ方向の位置を調整可能に前記ヘッダーケースを固定する一方向固定部をなすことを特徴とするエレベータのドア装置。
【請求項２】
前記一方向固定部を構成する締結部材は、ボルトと、ナットと、前記第１長穴、前記第２長穴のうち、幅の大きい方の長穴の幅と外径が略等しく、前記幅の大きい長穴から突き出る長さを有するカラーと、からなることを特徴とする請求項１に記載のエレベータのドア装置。
【請求項３】
前記一方向固定部を構成する締結部材は、ボルトと、前記第１長穴、前記第２長穴のうち、幅の大きい方の長穴の幅に２面幅が略等しいナットと、からなることを特徴とする請求項１に記載のエレベータのドア装置。
【請求項４】
前記一方向固定部を構成しない締結部材は、ボルトと、前記一方向固定部のナットが嵌合可能な穴を有するプレート付きのナットと、からなることを特徴とする請求項３に記載のエレベータのドア装置。
【請求項５】
前記一方向固定部を構成しない締結部材は、ボルトと、前記ボルトが突き出る側の長穴に嵌合可能な段部を有する段付きナットと、からなることを特徴とする請求項３に記載のエレベータのドア装置。
【発明の詳細な説明】
【技術分野】
【０００１】
本発明の実施形態は、エレベータのドア装置に関する。
【背景技術】
【０００２】
エレベータの出入口は、ドア装置によって開閉される。一般に、この種のドア装置では、ヘッダーケースに取り付けられているドアレールにローラを介して係合するドアハンガーによってドアパネルが吊り下げられている。乗場出入口の床には、敷居が設けられており、ドアパネルの下端に取り付けられたガイドシューが敷居の溝に係合するようになっている。
【０００３】
一般に、ヘッダーケースは、建物の躯体側の被取付部に固定されるＬ字形のブラケットを用いて固定される。従来、ヘッダーケースの上面とＬ字形のブラケットのヘッダー当接面には、それぞれ固定用の長穴が形成されており、ボルト、ナット等の締結部品でヘッダーケースの位置を調整しながらヘッダーケースを固定している。
【０００４】
ヘッダーケースを取り付けるときの位置調整では、２方向、すなわち左右方向と前後方向の調整が必要である。このため、ブラケットに形成された固定用の長穴とヘッダーケース上面の固定用長穴は直角に交差するようになっている。
【０００５】
ドア装置のヘッダーケース取付作業の位置出し調整に関しては、従来から様々な技術が提案されており、例えば、位置出し調整を個別に行う特許文献１や、躯体壁面の角度に合わせてブラケットを調整する特許文献２を挙げることができる。
【先行技術文献】
【特許文献】
【０００６】
【特許文献１】特許２５８８０８８号公報
【特許文献２】特許４８６１６９７号公報
【発明の開示】
【発明が解決しようとする課題】
【０００７】
しかしながら、上記のようなブラケットの長穴とヘッダーケースの長穴を直交させるような固定構造の場合、ボルト・ナットが緩んでいる状態では、ヘッダーケースは左右、前後のどちらの方向にも動けることになる。作業員にとっては、例えば、ヘッダーケースの左右方向の位置出しをしようとしていると、前後方向に位置がずれてしまい易い。このため、ヘッダーケースの取付作業には、熟練の技能が必要であった。
【０００８】
また、躯体の構造によっては、ボルト・ナットを締め付けるのに容易な作業スペースを確保できないという問題もあった。
【０００９】
本発明は、前記従来技術の有する問題点に鑑みなされたものであって、位置ずれをなくして効率的に、しかも作業スペースが少ない場合でもヘッダーケースの取付を可能にするエレベータのドア装置を提供することを目的としている。
【課題を解決するための手段】
【００１０】
前記の目的を達成するために、本発明の一実施形態に係るエレベータのドア装置は、
ヘッダーケースと、前記ヘッダーケースに設けられたドアレールと、ローラを介して前記ドアレールに係合するドアハンガーと、前記ドアハンガーに吊り下げられるドアパネルと、を有するエレベータのドア装置において、
前記ヘッダーケースを出入口の壁面に固定するためのブラケットと、
前記ヘッダーケースを前記ブラケットに固定する、少なくとも２組以上の締結部材と、を備え、
前記ヘッダーケースの上端部と、この上端部に重なり合う前記ブラケットの取付部には、一方に少なくとも２つ以上の平行な第１長穴が形成され、他方に前記第１長穴と直交する第２長穴が形成され、
前記締結部材は、前記第１長穴と第２長穴に挿通されて締結され、
少なくとも１組の前記締結部材は、前記第１長穴、第２長穴のうち、一方の長穴の長さ方向の位置のみを固定し、他方の長穴の長さ方向の位置を調整可能に前記ヘッダーケースを固定する一方向固定部をなすことを特徴とするものである。
【図面の簡単な説明】
【００１１】
【図１】本発明の第１実施形態によるエレベータのドア装置を示す図で、そのうち図１(Ａ)は、昇降路側からドア装置を表した正面図であり、図１(Ｂ)は、図１(Ａ)におけるＩＢ−ＩＢ断面を示し、図１(Ｃ)は、図１(Ａ)におけるＩＣ−ＩＣ断面を示す。
【図２】第１実施形態におけるブラケットとヘッダーケースとの締結構造の分解斜視図である。
【図３】図２におけるIII−III断面を示す図である。
【図４】第１実施形態の変形例１によるブラケットとヘッダーケースとの締結構造の分解斜視図である。
【図５】第１実施形態の変形例２によるブラケットとヘッダーケースとの締結構造の分解斜視図である。
【図６】第１実施形態の変形例３によるブラケットとヘッダーケースとの締結構造の分解斜視図である。
【図７】第２実施形態におけるブラケットとヘッダーケースとの締結構造の分解斜視図である。
【図８】図７におけるVIII−VIII断面を示す図である。
【図９】第３実施形態におけるブラケットとヘッダーケースとの締結構造の分解斜視図である。
【図１０】図９におけるＸ−Ｘ断面を示す図である。
【図１１】ヘッダーケースが取り付けられる躯体の状況例を示す図である。
【図１２】第４実施形態におけるブラケットとヘッダーケースとの締結構造の分解斜視図である。
【図１３】図１２におけるＸIII−ＸIII断面を示す図である。
【発明を実施するための形態】
【００１２】
以下、本発明によるエレベータのドア装置の実施形態について、添付の図面を参照しながら説明する。  
（第１実施形態）  
図１は、本発明の第１実施形態によるエレベータのドア装置を示す図である。このうち図１(Ａ)は、昇降路側からドア装置を表した正面図であり、図１(Ｂ)は、図１(Ａ)におけるＩＢ−ＩＢ断面を示し、図１(Ｃ)は、図１(Ａ)におけるＩＣ−ＩＣ断面を示す。  
図１において、参照番号10は、ドア装置の全体を示している。11は、出入口となる開口部である。エレベータ乗場では、縦枠13a、13bと横枠13cからなる三方枠によって出入口が構成されている。
【００１３】
ヘッダーケース14は、三方枠の上方でブラケット22を用いて躯体壁面に締結されている。  このヘッダーケース14には、ドアレール16が水平に配置されている。参照番号12A、12Bは、乗場のドアパネルである。ドアパネル12A、12Bの上端部には、それぞれドアハンガー15a、15bが取り付けられている。ドアハンガー15a、15b には、ドアレール16上を転動するローラ17が設けられている。ローラ17がドアレール16に係合することで、ドアパネル12A、12Bは、ドアレール16から吊り下げられた状態で開閉するようになっている。
【００１４】
エレベータ乗場の出入口の床には、敷居19が設置されている。ドアパネル12A、12Bの下端には、ガイドシュー20が取り付けられ、このガイドシュー20は、敷居19に長さ方向に形成されている溝に係合している。
【００１５】
なお、本実施形態において、方向を定義すると、左右方向とは、昇降路側からドアパネル12A、12Bに向かって左右の方向をいい、前後方向とは、昇降路側からドアパネル12A、12Bに向かって前後の方向をいうものとする。
【００１６】
本実施形態のドア装置では、ヘッダーケース14を躯体の壁面に固定する際に、ヘッダーケース14の位置調整を容易に行えるように、次のような締結部材が用いられている。  
図２は、第１実施形態におけるブラケット22とヘッダーケース14との締結構造の分解斜視図である。図３は、図２におけるIII−III断面を示す図である。  
ブラケット22は、Ｌ字形に曲げられた金属板からなる部材である。このブラケット22の鉛直な面には、鉛直方向に長い２つの長穴25a、25bが形成されている。この長穴25a、25bから入れられる締結部品によって、ブラケット22は壁面に固定される。
【００１７】
他方、ブラケット22の水平な取付部22aには、前後方向に長い２つの長穴24a、24bが平行に形成されている。ヘッダーケース14の上端部26は、水平に折り曲がられており、この上端部26には、左右方向に長い長穴27が形成されている。ブラケット22の長穴24a、24bの間隔よりも、ヘッダーケース14の上端部26の長穴27の方が長く左右方向に延びており、長穴24a、24bと長穴27は直角に交差するようになっている。なお、長穴24a、24bの数は、２つに限定されるものではない。３以上にすることも可能である。
【００１８】
ブラケット22に対して、ヘッダーケース14の上端部26を固定する締結部材としては、ボルト28a、28bとナット29、29が用いられている。このうち、ボルト28aは、円筒形のカラー33と組み合わされており、カラー33の上下には座金31、32が用いられている。他方のボルト28bには、カラー33は使用されず、座金31、32だけが使用される。
【００１９】
長穴24a、24bと長穴27とでは、長穴24a、24bの方が幅の大きい長穴になっている。カラー33は、ボルト28aを挿通可能な内径を有しているとともに、長穴24aの巾(短手方向の)よりも小さな外径を有している。そして、このカラー33の外径は、下にある長穴27の巾(短手方向の)よりも大きく設定されている。図３に示されるように、カラー33の長さ(軸方向の)は、ブラケット22の板厚(長穴24aの深さ)よりも大きく設定されている。
【００２０】
本実施形態では、座金31、32、カラー33を挿通させたボルト28aを長穴24aおよび長穴27に挿入し、ナット29を締め付けると、カラー33の上端は長穴24aから上に突き出た状態になり、座金32とブラケット22の取付部22a間には隙間ができるようになっている。この状態では、カラー33は上端部26に当接して、ヘッダーケース14の左右方向の位置は固定されるが、前後方向の位置は、固定されておらず調整可能である。このようにボルト28a、ナット29、カラー33、座金31、32は、左右方向のみ位置を固定する一方向固定部を構成するようになっている。
【００２１】
この実施形態では、一方向固定部に座金31、32を用いるようになっているが、座金31、32を用いることなく、例えば、フランジ付きのボルト（そのフランジが座金と同じ機能、すなわち取付部22aとフランジの間に隙間を確保する機能）を用いるようにしてもよい。また、カラー33と座金32の替わりに、フランジ付きの段付きボルト（その段部かカラーと同じ機能を有する）を用いるようにしてもよい。
【００２２】
なお、ボルト28bを長穴24bおよび長穴27に挿入してナット29を締め付けると、ヘッダーケース14は、左右方向および前後方向ともに位置を拘束される。
【００２３】
本実施形態によるエレベータのドア装置は、以上のように構成されるものであり、次に、ドアパネルを取り付ける際の位置調整手順について説明する。  
図２において、まず、ブラケット22をヘッダーケース14の上端部26に仮付けしておく。すなわち、ボルト28aには、座金32、カラー33を装着し、ボルト28aを上から長穴24a、長穴27に挿入してから、座金31とともにナット29を緩めに取り付けておく。他方のボルト28bについても、座金32を装着し、長穴24b、長穴27に上から挿入してから、座金31とともにナット29を緩めに取り付けておく。    
その後、ブラケット22を躯体側の被固定部の壁面に固定する。この固定は、図示しないアンカーボルトを長穴25a、25bから締結して行われる。
【００２４】
次に、位置調整のために、乗場出入口の左右基準に合わせて、ヘッダーケース14の位置を合わせ、ボルト28aのナット29を締め付ける。このような一方向固定部を構成しているボルト28a、ナット29の締付けにより、ヘッダーケース14の左右位置は固定される。
【００２５】
ボルト28aにナット29を締め付けた状態では、図３に示されるように、座金31、32の間に挟まれて拘束されているのは、長穴27に沿ったヘッダーケース14の左右方向の位置である。カラー33の上にある座金32は、ブラケット22の取付部22aに押し付けられておらず、隙間を残したままであるので、ヘッダーケース14の長穴24aに沿った前後方向の位置は完全には拘束されていない。
【００２６】
このように、カラー33を長穴24aに入れることにより、ナット29を締結しても、ヘッダーケース14は左右方向の位置のみ固定され、前後方向には位置を調整することができる。その後、ヘッダーケース14の前後方向の位置の調整をして位置が決まったら、残りのボルト28bにナット29を締め付ければ、ヘッダーケース14は左右方向、前後方向ともに完全に拘束され、取付は完了する。
【００２７】
このように、本実施形態によれば、少なくとも一方向固定部を構成している方のボルト28aを締結することによって、ヘッダーケース14の左右方向の位置のみを固定することができるので、左右方向、前後方向と順次、ヘッダーケース14の位置を調整し、簡便に固定することができる。
【００２８】
(変形例)   
次に、図４乃至図６を参照しながら、本発明の第１実施形態の変形例について説明する。  
図４は、第１実施形態の変形例１によるブラケット22とヘッダーケース14との締結構造の分解斜視図である。  
この変形例１が図２の実施形態と異なる点は、ブラケット22の取付部22aとヘッダーケース14の上端部26にそれぞれ設けてある長穴にある。この変形例１では、ブラケット22側の長穴24は一つで左右方向に長く、ヘッダーケース14側の長穴は、前後方向に長く平行に延びる二つの長穴27a、27bである。一方のボルト28aがカラー33とともに用いられる点は、図２の実施形態と同様である。長穴24の巾は、長穴27a、27bの巾よりも大きい。カラー33の外径は、長穴24の巾よりもスライドのための遊びを見込んでやや小さく、長穴27aの巾よりも大きくなっている。
【００２９】
以上のような変形例１では、ボルト28a、カラー33およびナット29は、前後方向のヘッダーケース14の位置のみを固定する一方向固定部を構成している。したがって、まず、ボルト28aにナット29を締結することによって、ヘッダーケース14の前後方向の位置を調整し固定した上で、次に、左右方向位置を調整してから、ボルト28bにナット29を締結することで、簡便に調整および固定を実施することができる。
【００３０】
次に、図５は、第１実施形態の変形例２によるブラケット22とヘッダーケース14との締結構造の分解斜視図である。  
この変形例２が図２の実施形態と異なる点は、ボルト28a、28bを下から長穴27、長穴24a、24bに挿入し、上からナット29を締結する点にある。この変形例２では、一方のボルト28aがカラー33とともに用いられる点は、図２の実施形態と同様である。但し、長穴24a、24b の巾よりも、長穴27の巾が大きくなっており、カラー33の外径は、長穴24aの巾よりも大きく、長穴27の巾よりもやや小さくなっている。
【００３１】
以上のような変形例２では、ボルト28a、カラー33およびナット29は、前後方向のヘッダーケース14の位置のみを固定する一方向固定部を構成している。したがって、まず、ボルト28aにナット29を締結することによって、カラー33は取付部22aに当接して、ヘッダーケース14の前後方向の位置を調整し固定した上で、次に、左右方向位置を調整してから、ボルト28bにナット29を締結することで、簡便にヘッダーケース14の位置調整および固定を実施することができる。
【００３２】
次に、図６は、第１実施形態の変形例３によるブラケット22とヘッダーケース14との締結構造の分解斜視図である。  
この変形例は図４の変形例１と同じように、ブラケット22側の長穴24は一つで左右方向に長く、ヘッダーケース14側の長穴は、前後方向に長く平行に延びる二つの長穴27a、27bである。一方のボルト28aがカラー33とともに用いられる点も同様である。  
但し、ボルト28a、28bは、上からではなく下から挿入される。長穴24の巾よりも、長穴27a、27bの巾の方がよりも大きくなっている。カラー33の外径は、長穴27aの巾よりもやや小さく、長穴27a、27bの巾よりも大きくなっている。
【００３３】
以上のような変形例３では、ボルト28a、カラー33およびナット29は、左右方向のヘッダーケース14の位置のみを固定する一方向固定部を構成している。したがって、まず、ボルト28aにナット29を締結することによって、ヘッダーケース14の左右方向の位置を調整し固定した上で、次に、前後方向の位置を調整してから、ボルト28bにナット29を締結することで、簡便に位置調整および固定を実施することができる。
【００３４】
（第２実施形態）
次に、本発明の第２実施形態について、図７、図８を参照して説明する。  
図７は、第２実施形態におけるブラケット22とヘッダーケース14との締結構造の分解斜視図である。図８は、図７におけるVIII−VIII断面を示す図である。  
第１実施形態は、一方向固定部の要素として、カラー33を利用した実施の形態であるが、この第２実施形態は、ナット36を利用した点が異なっている。第２実施形態の図７，図８において、図２、図３の第１実施形態と同一の構成要素には、同一の参照番号を付してその詳細な説明は省略する。
【００３５】
図７において、ナット36は、ボルト28bとともに用いられ、ボルト28aと異なり、座金31は用いられない。ナット36は、ブラケット22側の長穴24bに嵌合可能なナットであり、この実施形態の場合、長穴24bの巾はナット36の二面幅にスライドを許容する隙間を空けた寸法に設定されている。長穴24bの幅と較べると、ヘッダーケース14の上端部26の長穴27の巾は狭く設定されている。図８に示されるように、ナット36は、上端部26の上に載った状態を保つようになっている。
【００３６】
本実施形態では、ボルト28bを、ヘッダーケース14の上端部26の下面側から、長穴27に挿入し、長穴24aに入れておいたナット36に締め込んでいくと、ナット36と共回りすることなく、ボルト28bを締め込んでいくことができる。ボルト28bだけを締め付けた状態では、ボルト28bとナット36に挟まれて、ヘッダーケース１４の上端部26だけが拘束されるため、ヘッダーケース14の左右方向の位置は固定されるが、前後方向の位置は、固定されておらず調整可能である。  
他方、長穴27および長穴24aに挿入されるボルト28aにナット29を締め付けると、ヘッダーケース14は、左右方向および前後方向とも位置を拘束される。
【００３７】
以上のような第２実施形態によれば、ボルト28bにナット36を締結することによって、ヘッダーケース14の左右方向の位置を調整し先に固定した上で、次に、前後方向の位置を調整してから、ボルト28aにナット29を締結することで、簡便に調整および固定を実施することができる。この第２実施形態は、主として下側片面からのボルト締め込み作業が適している。なお、以上の第２実施形態においても、第１実施形態の変形例１乃至変形例３のようなバリエーションを加えることが可能であり、状況に応じて、下側片面からまたは上側片面からボルト締め込みを行えるようにすることができる。
【００３８】
（第３実施形態）  
次に、本発明の第３実施形態について、図９、図１０を参照して説明する。  
図９は、第３実施形態におけるブラケット22とヘッダーケース14との締結構造の分解斜視図である。図１０は、図９におけるＸ−Ｘ断面を示す図である。
【００３９】
第２実施形態は、一方向固定部の要素として、ナット36を利用した実施の形態であるが、この第３実施形態は、ナット36とともにプレート付きナットを利用した点が異なっている。第３実施形態の図９、図１０において、図７、図８の第２実施形態と同一の構成要素には、同一の参照番号を付してその詳細な説明は省略する。
【００４０】
図９において、プレート付きナットは、プレート40とナット部42が一体構造のナットであり、ボルト28aとともに用いられる。プレート40には、丸穴41が形成されており、この丸穴41の径は、ナット36の径よりも大きい。ナット部42と丸穴41のピッチは、ブラケット側の長穴24a、24bのピッチと一致している。
【００４１】
この第３実施形態の場合、長穴24bの巾はナット36の二面幅にスライドを許容する隙間を空けた寸法に設定され、ヘッダーケース14の上端部26の長穴27の巾は狭く設定されている点は、第２実施形態と同様である。
【００４２】
本実施形態では、ボルト28bを、ヘッダーケース14の上端部26の下面側から、長穴27に挿入し、長穴24aに入れておいたナット29に締め込んでいくと、ナット36と共回りすることなく、ボルト28bを締め込んでいくことができる。ボルト28bだけを締め付けた状態では、ヘッダーケース14の左右方向の位置は固定されるが、前後方向の位置は、固定されておらず調整可能である。
【００４３】
他方、長穴27および長穴24aに挿入されるボルト28aにプレートナットのナット部42を締め付けると、ヘッダーケース14は、左右方向および前後方向とも同時に位置を拘束される。
【００４４】
以上のような第３実施形態によれば、ボルト28bにナット36を締結することによって、ヘッダーケース14の左右方向の位置を調整し先に固定した上で、次に、前後方向の位置を調整してから、ボルト28aにナット部42を締結することで、簡便に調整および固定を実施することができる。
【００４５】
とりわけ、ボルト28aを締め込む際に、プレート付きナットの丸穴41にナット36が嵌合してプレート40は拘束されているので、ナット部42が共回りすることなく、容易に固定することができる。
【００４６】
ここで、図１１は、ヘッダーケース14が取り付けられる躯体50の状況例を示す図である。このうち図１１（Ａ）は、躯体50の壁面にヘッダーケース14を取り付ける状況を示し、図１１（Ｂ）は、躯体50の開口部に入れるようにしてヘッダーケース14を取り付ける状況を示している。
【００４７】
図１１（Ａ）に示されるような状況では、ボルト28a、28bを締め込む作業を妨げるものはないので、上からでも下からでも作業し易い。ところが、図１１（Ｂ）のような状況であると、ヘッダーケース14の上端部26の上に作業スペースがないため、ボルト28a、28bを締め込むには下側片面から締め込まざるを得なくなる。本実施形態では、上述したように、ナット部42の共回りを防止できるので、下側片面での操作によりボルト28aを容易に締め付けることができる。
【００４８】
（第４実施形態）
次に、本発明の第４実施形態について、図１２、図１３を参照して説明する。  
図１２は、第４実施形態におけるブラケット22とヘッダーケース14との締結構造の分解斜視図である。図１３、図１２におけるＸIII−ＸIII断面を示す図である。
【００４９】
この第４実施形態は、第３実施形態のプレート付きナットの替わりに、段付きナットを利用した実施の形態である。第４実施形態の図１２、図１３において、図９、図１０の第３実施形態と同一の構成要素には、同一の参照番号を付してその詳細な説明は省略する。
【００５０】
図１２において、段付きナット44は、ボルト28aとともに用いられる。この段付きナット44は、矩形形状を有し、雌ねじ45が形成されている。段付きナット44の下面には段部46が形成され、この段部46の幅は、長穴24aの幅と一致しており、長穴42aに嵌合するようになっている。
【００５１】
本実施形態では、ボルト28bを、ヘッダーケース14の上端部26の下面側から、長穴27に挿入し、長穴24aに入れておいたナット36に締め込んでいくと、ナット36と共回りすることなく、ボルト28bを締め込んでいくことができる。ボルト28bだけを締め付けた状態では、ヘッダーケース14の左右方向の位置は固定されるが、前後方向の位置は、固定されておらず調整可能である。
【００５２】
他方、長穴27および長穴24aに挿入されるボルト28aを段付きナット44に締めこんでいくと、ヘッダーケース14は、左右方向および前後方向とも同時に位置を拘束される。その過程では、段付きナット44の段部46が長穴24aに嵌合しているので、共回りすることなく、固定することができる。
【００５３】
以上のような第４実施形態によれば、図１１（Ｂ）に示したように、ヘッダーケース14の上端部26の上に作業スペースがない場合であっても、ナット36の共回りを防止できるので、下側片面の操作によりボルト28aを容易に締め付けることができる。
【００５４】
以上、本発明に係るエレベータのドア装置について、好適な実施形態を挙げて説明したが、本発明は、実施形態に挙げた乗場のドア装置他、かごのドア装置にも同様に適用することができる。これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００５５】
10…ドア装置、11…開口部、12A、12B…ドアパネル、14…ヘッダーケース、15a、15b…ドアハンガー、16…ドアレール、17…ローラ、19…敷居、22…ブラケット、24a、24b…長穴、27…長穴、28a、28b…ボルト、29…ナット、31、32…座金、33…カラー、36…ナット、40…プレート、42…ナット部、44…段付きナット
【要約】
【課題】位置ずれをなくして効率的に、しかも作業スペースが少ない場合でもヘッダーケースの取付を可能にする。
【解決手段】一実施形態によれば、本発明のドア装置は、ヘッダーケース14を出入口の壁面に固定するためのブラケット22と、ヘッダーケース14をブラケット22に固定する、少なくとも２組以上の締結部材と、を備え、ヘッダーケース14の上端部と、この上端部に重なり合うブラケット22の取付部26には、一方に少なくとも２つ以上の平行な第１長穴24が形成され、他方に第１長穴24と直交する第２長穴27が形成され、締結部材は、第１長穴24と第２長穴27に挿通されて締結され、少なくとも１組の締結部材が、第１長穴24、第２長穴27のうち、一方の長穴の長さ方向の位置のみを固定し、他方の長穴の長さ方向の位置を調整可能にヘッダーケース14を固定する一方向固定部を構成している。
【選択図】図２【図１Ａ】
0006818857.tif 000002
【図１Ｂ】
0006818857.tif 000003
【図１Ｃ】
0006818857.tif 000004
【図２】
0006818857.tif 000005
【図３】
0006818857.tif 000006
【図４】
0006818857.tif 000007
【図５】
0006818857.tif 000008
【図６】
0006818857.tif 000009
【図７】
0006818857.tif 000010
【図８】
0006818857.tif 000011
【図９】
0006818857.tif 000012
【図１０】
0006818857.tif 000013
【図１１Ａ】
0006818857.tif 000014
【図１１Ｂ】
0006818857.tif 000015
【図１２】
0006818857.tif 000016
【図１３】
0006818857.tif 000017